(57)【要約】【課題】対物レンズをフォーカス方向に駆動させることにともなう光軸の傾斜を抑制できる。【解決手段】光ディスクの信号記録面に対向する基台、信号記録面に対向する側の基台上に配設され所定距離離間する第１磁石及び第２磁石、基台上に配設され対物レンズを保持する保持部材、保持部材が光ディスクのフォーカス方向に移動可能となるように基台に対して略平行に延在し、第１磁石の第２磁石とは対向しない側の一端を支点として保持部材を支持する弾性ワイヤ、保持部材がフォーカス方向に移動可能となるようにフォーカス方向を軸として第１磁石を囲繞するフォーカスコイルを備え、フォーカス方向において第１磁石の端部は第２磁石の端部よりも突出している対物レンズ駆動装置を構成する。【選択図】図１
2009048746.tif 000002
【特許請求の範囲】
【請求項１】
光ディスクの信号記録面に対向する基台と、
前記信号記録面に対向する側の前記基台上に配設され、所定距離離間する第１磁石及び第２磁石と、
前記基台上に配設され、対物レンズを保持する保持部材と、
前記保持部材が前記光ディスクのフォーカス方向に移動可能となるように、前記基台に対して略平行に延在し、前記第１磁石の前記第２磁石とは対向しない側の一端を支点として前記保持部材を支持する弾性ワイヤと、
前記保持部材が前記フォーカス方向に移動可能となるように、前記フォーカス方向を軸として前記第１磁石を囲繞するフォーカスコイルと、を備え、
前記フォーカス方向において、前記第１磁石の端部は前記第２磁石の端部よりも突出している、
ことを特徴とする対物レンズ駆動装置。
【請求項２】
前記第１磁石及び前記第２磁石は前記光ディスクのタンジェンシャル方向に離間する、
ことを特徴とする請求項１に記載の対物レンズ駆動装置。
【請求項３】
前記第１磁石が固定される第１ヨークと、
前記第２磁石が固定される第２ヨークと、
を更に備えたことを特徴とする請求項１又は２に記載の対物レンズ駆動装置。
【請求項４】
前記保持部材は、前記第２磁石の前記第１磁石とは対向しない側に前記対物レンズを保持する、
ことを特徴とする請求項１乃至３の何れかに記載の対物レンズ駆動装置。
【発明の詳細な説明】
【技術分野】
【０００１】
本発明は対物レンズ駆動装置に関する。
【背景技術】
【０００２】
光ディスクの信号記録面に対して情報の記録又は再生用のレーザ光を照射するための対物レンズを駆動する対物レンズ駆動装置が知られている。情報を記録又は再生する場合、レーザ光を光ディスクのトラックに対し合焦させながら追従させる必要がある。このため、対物レンズ駆動装置は、対物レンズを、光ディスクのディスク面に垂直なフォーカス方向、及び、ディスク面上でトラックに垂直なトラッキング方向（光ディスクのラジアル方向）に駆動できるようになっている。これにより、レーザ光の合焦ずれ及びトラックずれが補正される（フォーカス制御及びトラッキング制御）。尚、対物レンズ駆動装置は、例えば光ディスクに対し情報を記録又は再生する光ピックアップ装置の一部である。
【０００３】
前述したフォーカス方向及びトラッキング方向に対物レンズを駆動可能な２軸の対物レンズ駆動装置が知られている（例えば、特許文献１、２参照）。
【０００４】
以下、図４を参照しつつ、２軸の対物レンズ駆動装置９１の構成例について説明する。尚、図４（ａ）は、対物レンズＯＢＬが光ディスクに近づいた場合の対物レンズ駆動装置９１の概略構成例の側面図であり、図４（ｂ）は、対物レンズＯＢＬが光ディスクから遠ざかった場合の対物レンズ駆動装置９１の概略構成例の側面図である。
【０００５】
対物レンズ駆動装置９１は、対物レンズＯＢＬを例えばフォーカス方向に移動可能に保持するべくフォーカスコイル９４０が設けられた保持部材９３０を備えている。また、対物レンズ駆動装置９１は、タンジェンシャル方向に離間して対向する一対の磁石９２１及び磁石９２２を、基台（不図示）からフォーカス方向に突設されたヨーク９１１及びヨーク９１２にそれぞれ固定して備えており、フォーカスコイル９４０は磁石９２２及びヨーク９１２のみを囲繞するようにフォーカス方向を軸として巻回されている。つまり、フォーカスコイル９４０は、その一部が磁石９２１、９２２の対向面間の磁気ギャップ内に存在するように配置されている。更に、対物レンズ駆動装置９１は、保持部材９３０を支持するべく支持部９６０及び弾性ワイヤ９６５を備えている。ここで、弾性ワイヤ９６５の一端は、基台に固定された支持部９６０に固定され、他端は、保持部材９３０に固定されている。尚、図４の例示では、２本の弾性ワイヤ９６５の他端が、略直方形状をなす保持部材９３０のタンジェンシャル方向に沿った側面に固定されている。図示してはいないが、同側面と相対する紙面裏側の側面に対し、同様に２本の弾性ワイヤ９６５の他端が固定されている。
【０００６】
以上の構成により、フォーカスコイル９４０に所定の電流を供給すれば、当該フォーカスコイル９４０における特に磁気ギャップ内の部分に対しフォーカス方向の電磁力が作用する。対物レンズＯＢＬを保持する保持部材９３０は、弾性ワイヤ９６５を介して支持部９６０に支持されつつ、フォーカス方向に沿って前記所定の電流に応じた距離だけ移動するようになっている。
【特許文献１】特開２００５−３４６７５０号公報
【特許文献２】特開２００３−１６６６８号公報
【発明の開示】
【発明が解決しようとする課題】
【０００７】
しかしながら、前述した対物レンズ駆動装置９１には、フォーカス制御時にフォーカスコイル９４０が磁石９２２のフォーカス方向の両端部に向かって移動した場合、例えば弾性ワイヤ９６５における支持部９６０側の固定端の変形等のために、光ディスク（不図示）のディスク面に対し保持部材９３０が傾斜するという問題がある。
【０００８】
図４（ａ）の例示では、フォーカスコイル９４０は磁石９２２の上側（光ディスク側）に移動し、これにともなって光ディスクに近づくように移動した保持部材９３０は、弾性ワイヤ９６５の張力によって同図の反時計方向に傾斜する。つまり、略タンジェンシャル方向に延在する保持部材９３０は、その支持部９６０に近い部分ほどフォーカス方向に光ディスクから遠ざかるように傾斜する。一方、図４（ｂ）の例示では、フォーカスコイル９４０は磁石９２２の下側（光ディスクと反対側）に移動し、これにともなって光ディスクから遠ざかるように移動した保持部材９３０は、弾性ワイヤ９６５の張力によって同図の時計方向に傾斜する。つまり、略タンジェンシャル方向に延在する保持部材９３０は、その支持部９６０から遠い部分ほどフォーカス方向に光ディスクから遠ざかるように傾斜する。尚、これらの傾斜は、前述した弾性ワイヤ９６５における支持部９６０側の固定端の変形等が原因であるため、保持部材９３０が不図示の基準位置を起点として光ディスクに対し近づくほど又は遠ざかるほど大きくなる構造的なものとされている。
【０００９】
保持部材９３０が前述の例のように傾斜した場合、対物レンズＯＢＬもディスク面に対し同様に傾斜する。つまり、対物レンズＯＢＬの光軸は、ディスク面に垂直な方向（即ちフォーカス方向）から傾いてしまうため、このため発生する対物レンズＯＢＬのコマ収差は、光ピックアップ装置の記録再生特性を劣化させる原因となる。
【課題を解決するための手段】
【００１０】
前記課題を解決するための発明は、光ディスクの信号記録面に対向する基台と、前記信号記録面に対向する側の前記基台上に配設され、所定距離離間する第１磁石及び第２磁石と、前記基台上に配設され、対物レンズを保持する保持部材と、前記保持部材が前記光ディスクのフォーカス方向に移動可能となるように、前記基台に対して略平行に延在し、前記第１磁石の前記第２磁石とは対向しない側の一端を支点として前記保持部材を支持する弾性ワイヤと、前記保持部材が前記フォーカス方向に移動可能となるように、前記フォーカス方向を軸として前記第１磁石を囲繞するフォーカスコイルと、を備え、前記フォーカス方向において、前記第１磁石の端部は前記第２磁石の端部よりも突出している、ことを特徴とする対物レンズ駆動装置である。
【発明の効果】
【００１１】
対物レンズをフォーカス方向に駆動させることにともなう光軸の傾斜を抑制できる。
【発明を実施するための最良の形態】
【００１２】
===対物レンズ駆動装置の構成===
図１を参照しつつ本実施の形態の対物レンズ駆動装置１の構成例について説明する。尚、図１（ａ）は、本実施の形態の対物レンズ駆動装置１をフォーカス方向から見た外観構成例を示す平面図であり、図１（ｂ）は、本実施の形態の対物レンズ駆動装置１をトラッキング方向から見た断面構成例を示す側面図である。
【００１３】
<<<全体構成>>>
本実施の形態の対物レンズ駆動装置１は、基台１０と、一対の磁石２１（第２磁石）及び磁石２２（第１磁石）と、対物レンズＯＢＬを保持する保持部材３０と、保持部材３０に設けられたフォーカスコイル４０と、サスペンションワイヤ（弾性ワイヤ）６５とを備えている。また、本実施の形態の対物レンズ駆動装置１は、更に、保持部材３０を支持するためのサポート部６０及び基板７０と、トラッキングコイル５０と、ヨーク１１（第２ヨーク）及びヨーク１２（第１ヨーク）とを備えている。
【００１４】
基台１０は、金属製の板からなる台であって、ターンテーブル（不図示）に装着された光ディスクのディスク面と平行に配置される。本実施の形態では、後述するヨーク１１、１２と、固定板１３とは、基台１０を構成する板の一部が折り曲げ形成されたものである。ここで、固定板１３は、基台１０を構成する板の一部が直角に折り曲げられてフォーカス方向に延在する矩形状の板であり、後述するサポート部６０を支持する。
【００１５】
磁石２１及び磁石２２は、それぞれ、フォーカス方向に延在する直方形状をなし極性の異なる単極の永久磁石である（例えば、Ｎ極及びＳ極）。本実施の形態では、一対の磁石２１及び磁石２２の正面どうしがタンジェンシャル方向に離間して対向するように、背面がヨーク１１及びヨーク１２にそれぞれ固設されている。
【００１６】
保持部材３０は、フォーカスコイル４０及びトラッキングコイル５０が固設される本体部３１と、対物レンズＯＢＬを保持する保持部３２と、保持部材３０全体の重心を所定位置に合わせるためのバランス部３３とを備えている。
【００１７】
前述した本体部３１は、略直方形状をなしてその略中央にフォーカス方向に貫通する略矩形状の開口部３１ａを備えており、この開口部３１ａにフォーカスコイル４０が内接するように固設されている。この開口部３１ａには、更に、２個のトラッキングコイル５０が内接するように固設されている。また、本実施の形態の本体部３１では、タンジェンシャル方向に沿った各側面に対し、２本のサスペンションワイヤ６５の他端を固定するための２個の係止部材３１ｂが設けられている。
【００１８】
前述した保持部３２は、本体部３１のタンジェンシャル方向の一端から同方向に延在するように一体に形成されており、フォーカス方向から見て略三角形状をなしその略中央に対物レンズＯＢＬが嵌合するための貫通孔を備えている。
【００１９】
前述したバランス部３３は、本体部３１のタンジェンシャル方向の他端から同方向に延在するように一体に形成されており、対物レンズＯＢＬと、フォーカスコイル４０及びトラッキングコイル５０とがそれぞれ装着及び固設された保持部材３０のタンジェンシャル方向の重心を例えばフォーカスコイル４０及びトラッキングコイル５０に作用する電磁力の作用点と略一致させるための錘の機能を備えている。
【００２０】
本実施の形態のフォーカスコイル４０は、磁石２２及びヨーク１２を囲繞するべく、前述した矩形状の開口部３１ａの内側に内接しつつ、フォーカス方向を軸として巻回されている。このフォーカスコイル４０は、フォーカス方向に所定幅を有する帯形状の銅線束が巻回されて、同方向から全体を見ると略矩形状をなしている。この略矩形状のフォーカスコイル４０を構成するトラッキング方向に沿った一方の辺は、対向する磁石２１及び磁石２２が形成する磁気ギャップを横切るようになっている。このフォーカスコイル４０に所定の電流を供給すれば、当該フォーカスコイル４０における特に磁気ギャップ内の部分に対しフォーカス方向の電磁力が作用する。これにより、保持部材３０は、サスペンションワイヤ６５によって支持されつつ、フォーカス方向に沿って前記所定の電流に応じた距離だけ移動するようになっている。
【００２１】
本実施の形態のサポート部６０は、前述した固定板１０に固設されて、サスペンションワイヤ６５を介して保持部材３０を支持するための部材である。このサポート部６０は、略直方形状をなしてそのトラッキング方向の両端部においてサスペンションワイヤ６５を途中で弾性的に把持するための弾性部材６０ａを備えている。この弾性部材６０ａは、サスペンションワイヤ６５の不要な振動を吸収するための例えばシリコンゴム等の部材である。尚、本実施の形態では、弾性部材６０ａの端面とサスペンションワイヤ６５との接合点６０ｂが、サスペンションワイヤ６５の一端の支点に相当する。
【００２２】
本実施の形態の基板７０は、サスペンションワイヤ６５を通じてフォーカスコイル４０やトラッキングコイル５０等に電流を供給するための矩形状の配線基板であり、サポート部６０の背面に対し電気的に絶縁された状態で固設される。
【００２３】
本実施の形態のサスペンションワイヤ６５は、一端が前述した基板７０に固定されるとともに他端が前述した本体部３１の係止部材３１ｂに固定されて、保持部材３０をフォーカス方向及びトラッキング方向に移動可能に支持するための弾性ワイヤである。尚、サスペンションワイヤ６５の他端は、基板７０に対し半田７０ａで固着されている。
【００２４】
本実施の形態のトラッキングコイル５０は、タンジェンシャル方向を軸として巻回される２個のコイルが、前述した略矩形状のフォーカスコイル４０を構成するトラッキング方向に沿った一方の辺と開口部３１ａの内側面とに固設されている。このトラッキングコイル５０に所定の電流を供給すれば、当該トラッキングコイル５０に対しトラッキング方向の電磁力が作用する。これにより、保持部材３０は、サスペンションワイヤ６５によって支持されつつ、トラッキング方向に沿って前記所定の電流に応じた距離だけ移動するようになっている。
【００２５】
本実施の形態のヨーク１１及びヨーク１２は、前述したように、基台１０を構成する板の一部が直角に折り曲げられてフォーカス方向に延在する矩形状の板であり、磁石２１及び磁石２２をそれぞれ支持しつつ、磁気ギャップ内の磁界をより強くするための部材である。
【００２６】
<<<磁石２１及び磁石２２>>>
図１に例示されるように、本実施の形態の磁石２１、２２は、磁石２２のフォーカス方向の両端部が、磁石２１のフォーカス方向の両端部に比べて、同方向についてより突出するような構成となっている。つまり、本実施の形態では、磁石２２におけるフォーカス方向の光ディスク側の端部は、磁石２１における同方向及び同側の端部に比べて、光ディスクのディスク面により近い位置にあり、また、磁石２２におけるフォーカス方向の光ディスクと反対側の端部は、磁石２１における同方向及び同側の端部に比べて、光ディスクのディスク面からより遠い位置にある。特に、本実施の形態では、磁石２２の端部の磁石２１の端部に対するフォーカス方向の突出長さは、光ディスク側と、光ディスクと反対側とで等しく設定されている。
【００２７】
尚、磁石２２の端部の磁石２１の端部に対する突出長さは、後述するように、両端部間の磁力線の方向のタンジェンシャル方向に対する傾斜の度合いを決めるものである。また、後述するように、サスペンションワイヤ６５の張力によるモーメントが作用している保持部材３０に対し、前記磁力線の傾斜の度合いに応じて、前記モーメントを低減させるモーメントが作用する。よって、本実施の形態では、磁石２２の端部の磁石２１の端部に対する突出長さは、サスペンションワイヤ６５や磁石２２及び磁石２１の特性等に基づいて、予め所定値に設定されている。
【００２８】
===対物レンズ駆動装置の動作===
図２及び図３を参照しつつ、前述した構成を備えた対物レンズ駆動装置１のフォーカス制御時の動作について説明する。
【００２９】
尚、図２（ａ）は、本実施の形態のフォーカスコイル４０が磁石２２の光ディスク側の端部に位置する場合の当該フォーカスコイル４０と磁石２１、２２との仮想的な位置関係を示す側面図であり、図２（ｂ）は、前記場合の本実施の形態の対物レンズ駆動装置１の側面図である。図３（ａ）は、本実施の形態のフォーカスコイル４０が磁石２２の光ディスクとは反対側の端部に位置する場合の当該フォーカスコイル４０と磁石２１、２２との仮想的な位置関係を示す側面図であり、図３（ｂ）は、前記場合の本実施の形態の対物レンズ駆動装置１の側面図である。
【００３０】
また、以後、フォーカス方向の光ディスク側を「上側」と称し、フォーカス方向の光ディスクと反対側を「下側」と称する。
【００３１】
<<<光ディスク側に移動した場合>>>
図２（ａ）に例示されるように、フォーカスコイル４が磁石２２の上側の端部近傍に位置している場合、前述したように、例えばサスペンションワイヤ６５における支持部６０側の固定端（図２（ｂ）参照）の変形等のために、フォーカスコイル４０は、ディスク面に対し同図の反時計方向に傾斜しようとする。尚、同図のフォーカスコイル４０の傾斜は仮想的なものである。後述するように、本実施の形態の対物レンズ駆動装置１によれば、このような傾斜を抑制することができる。
【００３２】
一方、同図に例示されるように、磁石２２は、磁石２１よりも上側に長くなっているため、磁石２２と磁石２１との間の磁気ギャップにおいて、特に磁石２２の上側端部近傍と磁石２１の上側端部近傍との間に発生する磁力線は、タンジェンシャル方向と平行ではなく、磁石２２から磁石２１へ下側に傾斜したものとなる。この傾斜は、フォーカス方向の上側の磁力線から下側の磁力線にかけて徐々に小さくなり、例えば磁気ギャップのフォーカス方向の中央部では、磁力線はタンジェンシャル方向と平行になる。尚、同図の例示では、磁石２２をＮ極の単極磁石とし、磁石２１をＳ極の単極磁石としている。
【００３３】
フォーカスコイル４０が上側に移動するためには、当該フォーカスコイル４０に対し同図に示す方向に電流を供給する必要がある。つまり、フォーカスコイル４０には、上側から見て時計方向に所定の大きさの電流が流れている。この場合、フォーカスコイル４０の磁気ギャップ内の上側の位置Ｐ１では、当該位置Ｐ１での電流のベクトルと、当該位置Ｐ１を通り最も傾斜している磁力線のベクトルとの双方のベクトルに垂直なベクトルの電磁力Ｆ１が作用する。一方、磁気ギャップ内にあるフォーカスコイル４０の下側の位置Ｐ２では、当該位置Ｐ２での電流のベクトルと、前記位置Ｐ１の場合に比べて傾斜が小さい磁力線のベクトルとの双方のベクトルに垂直なベクトルの電磁力Ｆ２が作用する。
【００３４】
図２（ａ）から明らかなように、電磁力Ｆ１は、電磁力Ｆ２に比べて、前述した磁力線の傾きに対応して、タンジェンシャル方向の成分がより大きくなるように傾いている。つまり、フォーカスコイル４０の磁気ギャップ内の部分について、上側の位置Ｐ１に作用する電磁力Ｆ１のタンジェンシャル方向成分は、下側の位置Ｐ２に作用する電磁力Ｆ２のタンジェンシャル方向成分よりも大きくなる。よって、フォーカスコイル４０に対し、前述した反時計方向の傾斜を時計方向に戻すモーメントが作用する（図２（ａ）の白抜き矢印）。結局、この傾斜を戻すモーメントは、フォーカスコイル４０が固設された保持部材３０に対し作用することになる。尚、電磁力Ｆ１、Ｆ２のフォーカス方向成分は、サスペンションワイヤ６５（図２（ｂ））の張力に抗して、保持部材３０を上側に位置させるための力である。
【００３５】
以上により、図２（ｂ）に例示されるように、例えば対物レンズＯＢＬを光ディスクに最も近づけた場合であっても、フォーカスコイル４０は、前述したモーメントにより、光ディスクのディスク面に対し平行に保持される。よって、このフォーカスコイル４０が固設された保持部材３０に保持される対物レンズＯＢＬのレンズ面も、ディスク面に対し平行に保持される。
【００３６】
<<<光ディスクと反対側に移動した場合>>>
図３（ａ）に例示されるように、フォーカスコイル４が磁石２２の下側の端部近傍に位置している場合、前述したように、例えばサスペンションワイヤ６５における支持部６０側の固定端（図３（ｂ）参照）の変形等のために、フォーカスコイル４０は、ディスク面に対し同図の時計方向に傾斜しようとする。尚、同図のフォーカスコイル４０の傾斜は仮想的なものである。後述するように、本実施の形態の対物レンズ駆動装置１によれば、このような傾斜を抑制することができる。
【００３７】
一方、同図に例示されるように、磁石２２は、磁石２１よりも下側に長くなっているため、磁石２２と磁石２１との間の磁気ギャップにおいて、特に磁石２２の下側端部近傍と磁石２１の下側端部近傍との間に発生する磁力線は、タンジェンシャル方向と平行ではなく、磁石２２から磁石２１へ上側に傾斜したものとなる。この傾斜は、フォーカス方向の下側の磁力線から上側の磁力線にかけて徐々に小さくなり、例えば磁気ギャップのフォーカス方向の中央部では、磁力線はタンジェンシャル方向と平行になる。尚、同図の例示では、磁石２２をＮ極の単極磁石とし、磁石２１をＳ極の単極磁石としている。
【００３８】
フォーカスコイル４０が下側に移動するためには、当該フォーカスコイル４０に対し同図に示す方向に電流を供給する必要がある。つまり、フォーカスコイル４０には、上側から見て反時計方向に所定の大きさの電流が流れている。この場合、フォーカスコイル４０の磁気ギャップ内の下側の位置Ｐ２’では、当該位置Ｐ２’での電流のベクトルと、当該位置Ｐ２’を通り最も傾斜している磁力線のベクトルとの双方のベクトルに垂直なベクトルの電磁力Ｆ２’が作用する。一方、磁気ギャップ内にあるフォーカスコイル４０の上側の位置Ｐ１’では、当該位置Ｐ１’での電流のベクトルと、前記位置Ｐ２’の場合に比べて傾斜が小さい磁力線のベクトルとの双方のベクトルに垂直なベクトルの電磁力Ｆ１’が作用する。
【００３９】
図３（ａ）から明らかなように、電磁力Ｆ２’は、電磁力Ｆ１’に比べて、前述した磁力線の傾きに対応して、タンジェンシャル方向の成分がより大きくなるように傾いている。つまり、フォーカスコイル４０の磁気ギャップ内の部分について、下側の位置Ｐ２’に作用する電磁力Ｆ２’のタンジェンシャル方向成分は、上側の位置Ｐ１’に作用する電磁力Ｆ１’のタンジェンシャル方向成分よりも大きくなる。よって、フォーカスコイル４０に対し、前述した時計方向の傾斜を反時計方向に戻すモーメントが作用する（図３（ａ）の白抜き矢印）。結局、この傾斜を戻すモーメントは、フォーカスコイル４０が固設された保持部材３０に対し作用することになる。尚、電磁力Ｆ１’、Ｆ２’のフォーカス方向成分は、サスペンションワイヤ６５（図３（ｂ））の張力に抗して、保持部材３０を下側に位置させるための力である。
【００４０】
以上により、図３（ｂ）に例示されるように、例えば対物レンズＯＢＬを光ディスクから最も遠ざけた場合であっても、フォーカスコイル４０は、前述したモーメントにより、光ディスクのディスク面に対し平行に保持される。よって、このフォーカスコイル４０が固設された保持部材３０に保持される対物レンズＯＢＬのレンズ面も、ディスク面に対し平行に保持される。
【００４１】
以上、本実施の形態の対物レンズ駆動装置１によれば、対物レンズＯＢＬをフォーカス方向に駆動させることにともなう光軸の傾斜を抑制できる。対物レンズＯＢＬの光軸をディスク面に垂直に保持することのよって当該対物レンズＯＢＬのコマ収差を抑制すれば、これは光ピックアップ装置の記録再生特性の向上につながる。
【００４２】
===対物レンズの光軸の傾斜の抑制===
本実施の形態の対物レンズ駆動装置１は、少なくとも、基台１０と、基台１０上に配設され、正面側どうしが所定距離離間する磁石２２及び磁石２１と、基台１０上に配設され、対物レンズＯＢＬを保持する保持部材３０と、保持部材３０がフォーカス方向に移動可能となるように、基台１０に対して略平行に延在し、磁石２２の背面側の一端を支点として保持部材３０を支持するサスペンションワイヤ６５と、保持部材３０がフォーカス方向に移動可能となるように、フォーカス方向を軸として磁石２２を囲繞するフォーカスコイル４０と、を備え、フォーカス方向において、磁石２２の端部は磁石２１の端部よりも突出している。
【００４３】
この対物レンズ駆動装置１によれば、磁石２２の端部の磁石２１の端部に対する突出分に応じて、磁石２２の端部と磁石２１の端部との間に発生する磁力線が基台１０に対し傾斜する。所定の電流が供給されたフォーカスコイル４０が磁石２２の端部近傍まで移動したとき、保持部材３０には、サスペンションワイヤ６５からの張力のために、基台１０に対し傾斜する方向にモーメントが作用する。しかし、フォーカスコイル４０に対し前記傾斜した磁力線を介して作用する電磁力により、保持部材３０には、前記モーメントを低減するモーメントが作用する。よって、この対物レンズ駆動装置１は、対物レンズＯＢＬをフォーカス方向に駆動させることにともなう光軸の傾斜を抑制できる。
【００４４】
また、前述した対物レンズ駆動装置１において、磁石２２及び磁石２１は、タンジェンシャル方向に離間することが好ましい。この対物レンズ駆動装置１によれば、例えばタンジェンシャル方向を軸として巻回されるトラッキングコイル５０を、磁石２２及び磁石２１の間に位置するように保持部材３０に設けることにより、保持部材３０をトラッキング方向に移動可能とすることができる。つまり、対物レンズＯＢＬのトラッキング制御を行うことができる。但し、これに限定されるものではなく、磁石２２及び磁石２１の離間がタンジェンシャル方向でないものであってもよい。
【００４５】
また、前述した対物レンズ駆動装置１は、ヨーク１１とヨーク１２とを更に備えたことが好ましい。この対物レンズ駆動装置１によれば、磁石２２及び磁石２１の間の磁界がより強くなる。
【００４６】
また、前述した対物レンズ駆動装置１において、保持部材３０が磁石２１の背面側に対物レンズＯＢＬを保持している場合、この保持部材３０の前述した傾斜によって、対物レンズＯＢＬのフォーカス方向の変位はより大きくなる虞がある。しかし、この対物レンズ駆動装置１によれば、そもそも前記傾斜が抑制されるため、対物レンズＯＢＬが磁石２１の背面側に保持されている場合であっても、この対物レンズＯＢＬのフォーカス方向の変位は抑制される。但し、以上に限定されるものではなく、対物レンズＯＢＬは磁石２１の正面側に保持されるものであってもよい。
【００４７】
尚、図１に例示される対物レンズ駆動装置１では、磁石２２のフォーカス方向の両端部は、磁石２１のフォーカス方向の両端部に比べて、同方向についてより突出するような構成となっていた。特に、磁石２２の端部の磁石２１の端部に対するフォーカス方向の突出長さが、光ディスク側と、光ディスクと反対側とで等しく設定されていた。
【００４８】
しかし、以上に限定されるものではない。例えば、磁石２２の端部の磁石２１端部に対するフォーカス方向の突出長さが、光ディスク側と、光ディスクと反対側とで異なるように設定されていてもよい。フォーカスコイル４０を光ディスクのディスク面に対し平行に保持するためのモーメントは、前記突出長さに応じたものとなる。そこで、もし光ディスク側とその反対側とで、フォーカスコイル４０を平行に保持するために必要なモーメントが異なる場合、各モーメントに応じた突出長さを別々に設定すればよい。
【００４９】
また、例えば、光ディスク側及びその反対側のいずれか一方側のみに関して、磁石２２のフォーカス方向の端部が、磁石２１のフォーカス方向の端部に比べて、同方向についてより突出していてもよい。
【００５０】
前述した実施の形態は、本発明の理解を容易にするためのものであり、本発明を限定して解釈するためのものではない。本発明はその趣旨を逸脱することなく変更や改良等が可能であり、また本発明はその等価物も含むものである。
【００５１】
尚、図１の例示では、サスペンションワイヤ６５の一端の支点は、サポート部６０の弾性部材６０ａの端面とサスペンションワイヤ６５との接合点６０ｂであったが、これに限定されるものではない。例えば、対物レンズ駆動装置１がサポート部６０を備えておらず、サスペンションワイヤ６５が基板７０に直接固定されている場合には、この基板５０の面とサスペンションワイヤ６５との接合点が支点となる。要するに、サスペンションワイヤ６５の一端の支点は、当該一端を磁石２２の背面側で固定する点であれば、いかなるものであってもよい。
【図面の簡単な説明】
【００５２】
【図１】（ａ）は、本実施の形態の対物レンズ駆動装置をフォーカス方向から見た外観構成例を示す平面図であり、（ｂ）は、本実施の形態の対物レンズ駆動装置をトラッキング方向から見た断面構成例を示す側面図である。
【図２】（ａ）は、本実施の形態のフォーカスコイルが磁石の光ディスク側の端部に位置する場合の当該フォーカスコイルと磁石との仮想的な位置関係を示す側面図であり、（ｂ）は、前記場合の本実施の形態の対物レンズ駆動装置の側面図である。
【図３】（ａ）は、本実施の形態のフォーカスコイルが磁石の光ディスクとは反対側の端部に位置する場合の当該フォーカスコイルと磁石との仮想的な位置関係を示す側面図であり、（ｂ）は、前記場合の本実施の形態の対物レンズ駆動装置の側面図である。
【図４】（ａ）は、対物レンズが光ディスクに近づいた場合の対物レンズ駆動装置の概略構成例の側面図であり、（ｂ）は、対物レンズが光ディスクから遠ざかった場合の対物レンズ駆動装置の概略構成例の側面図である。
【符号の説明】
【００５３】
１、９１  対物レンズ駆動装置              １０  基台
１１、１２、９１１、９１２  ヨーク        １３  固定板
２１、２２、９２１、９２２  磁石          ３０、９３０  保持部材
３１  本体部                              ３１ａ  開口部
３１ｂ  係止部材                          ３２  保持部
３３  バランス部                          ４０、９４０  フォーカスコイル
５０  トラッキングコイル                  ６０  サポート部
６０ａ  弾性部材                          ６０ｂ  接合点
６５  サスペンションワイヤ                ７０  基板
７０ａ  半田                              ９６０  支持部
９６５  弾性ワイヤ
【図１】
2009048746.tif 000003
【図２】
2009048746.tif 000004
【図３】
2009048746.tif 000005
【図４】
2009048746.tif 000006